(57)【要約】【課題】  床面の掃除の邪魔になることなく衣類を天井近くに吊るすことができ、しかも、カーテンの開閉操作を阻害しないようにした窓等縦壁に開口する凹部で利用する室内での物干し方法及び物干し装置を提供することを目的とする。【解決手段】  衣類等を室内に干す物干し方法は、室内の縦壁面に開口する凹部に設置された基体部から延出され前記縦壁面に添って伸び天井近くに配設される支持アームに衣類等を掛けて乾燥させる。また、物干し装置は、前記凹部に設置される基体部と該基体部から延出され使用に際して該凹部から突出されて前記縦壁面に添って伸び天井近くに配設される支持アームとから成る。【選択図】  図１
2006116117.tif 000002
【特許請求の範囲】
【請求項１】
衣類等を室内に干す物干し方法において、室内の縦壁面に開口する凹部に基体部が設置され、該基体部から延出され前記縦壁面に添って適宜離間されて天井近くに配設される支持アームに前記衣類等を掛けて乾燥させることを特徴とする物干し方法。
【請求項２】
請求項１に記載の物干し方法において、前記支持アームから前記縦壁面と離反する方向に延出される第２支持アームに前記衣類等を掛けて乾燥させることを特徴とする物干し方法。
【請求項３】
衣類等を室内に干す際に用いる物干し装置において、室内の縦壁面に開口する凹部に設置されると共に使用に際して該凹部から突出されて前記縦壁面に添って適宜離間されて天井近くに配設される衣類等が掛けられる支持アームを備えて構成されたことを特徴とする物干し装置。
【請求項４】
衣類等を室内に干す際に用いる物干し装置において、室内の縦壁面に開口する凹部に設置されると共に使用に際して該凹部から突出されて前記縦壁面に添って適宜離間され衣類等が掛けられる支持アームから前記縦壁面と離反する方向に延出される第２支持アームを備えて構成されたことを特徴とする物干し装置。
【発明の詳細な説明】
【技術分野】
【０００１】
本発明は、室内で衣類等を干すために利用される物干し方法及び物干し装置に関する。
【背景技術】
【０００２】
従来、天井近くに衣類等を干す物干し装置は本発明人が特開平８−２４４９０号で提案している。
この装置によれば、天井近くに衣類等を干すので該衣類の投影面下の床を有効利用できる。また、洗濯物が早く乾く。また、物干し装置の占有床面設置面積が小さい。従って、邪魔にならないので常設できる等の優れた利点がある。
【０００３】
一方、出窓等の凹部に設置する物干し装置が特開２００２−１５３６９９号に提案されている。ここでは、床面より一段高所に存する窓等の凹部に物干し装置を設置するようにされているので床面の掃除には邪魔にならない利点がある。
【特許文献１】特開平８−２４４９０号
【特許文献２】特開２００２−１５３６９９号
【発明の開示】
【発明が解決しようとする課題】
【０００４】
しかしながら、前者の一本足物干し装置は、床面の上に置くので床面の掃除のとき（特に電気掃除機による吸引作業時）に邪魔になるという欠点があった。
また、後者の物干し方法と物干し装置には次のような欠点が在る。
１、衣類等を吊るす支持腕の床面からの高さは窓枠の天井高さに支配される。つまり、窓枠の天井高さが部屋の天井高さと同一であれば部屋の天井近くに衣類等を吊るせるが、そうでなければ窓枠の天井高さまでの高さでしか吊るせない.。（一般的に、窓枠の天井は部屋の天井より低いので部屋の天井近くに衣類を吊るせない）
２、従って、吊るした衣類の投影面下の空間が少なくなり、有効利用が制限される。
３、カーテンの開閉操作を阻害せずに支持腕をカーテンから突出させるためには設置場所が限定される。
４、カーテンの開閉操作を阻害しない位置に設置しても、カーテンを開閉する人は吊るした衣類を介してカーテンと対向するので吊るした衣類がカーテンの開閉操作の邪魔になる。
【０００５】
本発明は、上述従来の問題点を解決することを課題としてなされたもので、床面の掃除の邪魔になることなく衣類を天井近くに吊るすことができ、しかも、カーテンの開閉操作を阻害しないようにした窓等縦壁に開口する凹部で利用する物干し方法及び物干し装置を提供することを目的とする。
【課題を解決するための手段】
【０００６】
本発明の請求項１の物干し方法は、衣類等を室内に干す物干し方法において、室内の縦壁面に開口する凹部に基体部が設置され、該基体部から延出され前記縦壁面に添って適宜離間されて天井近くに配設される支持アームに前記衣類等を掛けて乾燥させることを特徴とする。
【０００７】
また、請求項２の物干し方法は、請求項１に記載の物干し方法において、前記支持アームから前記縦壁面と離反する方向に延出される第２支持アームに前記衣類等を掛けて乾燥させることを特徴とする。
【０００８】
また、請求項３の物干し装置は、室内の縦壁面に開口する凹部に設置されると共に使用に際して該凹部から突出されて前記縦壁面に添って適宜離間されされて天井近くに配設される衣類等が掛けられる支持アームを備えて構成されたことを特徴とする。
【０００９】
また、請求項４の物干し装置は、室内の縦壁面に開口する凹部に設置されると共に使用に際して該凹部から突出されて前記縦壁面に添って適宜離間され衣類等が掛けられる支持アームから前記縦壁面と離反する方向に延出される第２支持アームを備えて構成されたことを特徴とする。
【発明の効果】
【００１０】
請求項１の物干し方法の構成により、室内の縦壁面に開口する凹部に設置された基体部から延出され前記縦壁面に添って適宜離間されて水平に伸びる支持アームを天井近くに配設して該支持アームに衣類を掛けて（前記縦壁面添いに吊るされる）乾燥させる。
この際、天井付近の温度は床面側より高いので早く乾燥する。また、天井近くに吊るされた衣類の下の空間体積が大きいので有効活用できる。さらにまた、物干し装置が床面に設置していないので床面の掃除の際に物干し装置が邪魔になることもない。
なお、前記凹部が窓の場合はカーテンによって凹部の開口部が隠蔽されるので、この際はカーテンと前記縦壁面との隙間を介して前記支持アームを前記縦壁面に添って延出させて衣類を掛ければよい。この際、衣類はカーテンの横側又は上側に掛けられるのでカーテンの開閉作業を阻害することはない。
【００１１】
請求項２の物干し方法の構成では、支持アームから延出される第２支持アームに前記衣類等を掛けて（前記縦壁面と衣類群の軸が交差するよう吊るされる）乾燥させる。
この際の効果も、請求項１の物干し方法と同様である。
【発明を実施するための最良の形態】
【００１２】
以下に実施例を示す。
【実施例１】
【００１３】
以下に本発明に係わる物干し方法及び物干し装置の望ましい実施例を図面に従って説明するが、これにより本発明は何等限定されるものではない。
図１〜図３は本発明に係わる物干し方法及び物干し装置の第１実施例を示したものである。図１において、物干し装置１は、窓が設けられた凹部９０に設置される基体部と基体部を形成する上部支柱３に取付けられ上部支柱３に添って上下動可能な昇降部材６と横軸７及び曲げ継手８を介して昇降部材６に連結され縦壁９１添って上方に延出される支持アーム９と該支持アーム９から曲げ継手１０を介して縦壁９１から離反する方向に延出される第２支持アーム１１とで構成される。
【００１４】
詳述すると、基体部は凹部９０の床面に当接する膨出部を有す中空の下部支柱２と凹部９０の天井面に当接する膨出部を有す中空の上部支柱３とが長さ調整手段を介して連結される構成とされている。また、長さ調整手段は下部支柱２の中空部に挿入されて固着される基部５２と該基部５２の上部に形成され下部支柱２の上端に当接される膨出部５１と該膨出部５１から上方に延出される雄ねじ部５３とで形成される内臓部材５と下部支柱２を収容可能に下面が開口される中空体とされ上面中央に前記雄ねじ５３が螺合される雌ねじが貫設されると共に上面縁部に断面が逆Ｌ字状の保持片４１が適数周設される長さ調整ハンドル４とで構成される。
【００１５】
上部支柱３の中空部に前記雄ねじ５３を挿入して上部支柱３の下端を長さ調整ハンドル４の上面に接近させていくと上部支柱３の下部外周に周設される膨出部３１と保持片４１との摺接作用により保持片４１が弾性変形して拡開され膨出部３１が保持片４１の顎部を越えて下方に移動すると保持片４１が復元して上部支柱３と長さ調整ハンドル４とが連結される。
【００１６】
昇降部材６に貫通された孔に上部支柱３が挿通されて昇降部材６が上下動及び回動自在とされている。この昇降部材６には前記貫通孔の軸と直交する軸を有す雌ねじ孔が貫設され、基端部が大径化され先端部は前記雌ねじに螺合された雄ねじ部を有すロック部材１２が取付けられて雄ねじの先端を上部支柱３に押圧すると昇降部材６が上部支柱３の任意の位置に保持される一方雄ねじの先端を上部支柱３から離間させると昇降部材６が上部支柱３に案内されて上下動自在になるようにされている。
【００１７】
昇降部材６には部屋内部に向かって延出される横軸７が取付けられ、該横軸７に曲げ継手８を介して縦壁９１とカーテンレール９２との隙間を通り縦壁９１に添って縦壁９１から適宜離間されて上方に伸びる支持アーム９が接続されている。支持アーム９の先端には曲げ継手１０を介して縦壁から離反する方向に延出されて先端に膨出部が形成され衣類を掛止可能な第２支持アーム１１が水平方向に回動自在且つ着脱自在に連結されている。
【００１８】
以上のように構成された物干し装置１の凹部９０への取付け方法について説明する。
長さ調整ハンドル４を時計回りに回すと長さ調整ハンドル４が下部支柱に接近して基体部全長が短縮化される。短縮化された基体部の下部支柱２の膨出部下面を凹部９０の床面に載置した後、長さ調整ハンドル４を反時計回りに回して伸張させ上部支柱３の膨出部上面を凹部９０の天井面に当接させて自立させる。次いで、第２支持アーム１１を縦壁面９１と略平行にして昇降部材６を上昇させ縦壁面９１とカーテンレール９２との隙間を通過させ第２支持アーム１１が天井Ｂに適宜近接したところでロック部材１２を時計回りに回して昇降部材６を上部支柱３に保持する。
【００１９】
次いで、前記隙間に対して支持アーム９が好適な位置になるよう基体部を短縮化して基体部の凹部９０への設置位置を調整する。設置位置を決めたら長さ調整ハンドル４を反時計回りに回して伸張させて上部支柱３の膨出部上面を凹部９０の天井面に押圧させて基体部を凹部９０の天井面と床面との間に突っ張らせる。次いで、第２支持アーム１１を枢動させて縦壁面１に軸を直交させる。（この際に第２支持アーム１１を支持アーム９の先端に取付けて縦壁面１に軸を直交させても良い）
なお、凹部９０から取外す場合は上記操作を逆に行えば良い。
【００２０】
次に、上記構成の物干し装置１を用いた物干し方法について説明する。
上部にフック部が形成され衣類が保持されたハンガーのフック部を第２支持アーム１１に掛ける。これにより、衣類がハンガーを介して第２支持アーム１１に吊るされる。（衣類を直接第２支持アーム１１に掛けても良い）
これにより、沢山の衣類が天井近くに吊るされ、衣類の投影面下は空間の高さが高いので人の往来が可能となりカーテンの開閉操作に支障がない他、床面Ａから凹部９０の床面までの高さより低い家具等を床面Ａに載置できる等、この空間が有効利用できる。
なお、前記ハンガーを第２支持アーム１１に掛け外すには、身長が高ければ前記ハンガーを手に持って直接第２支持アーム１１に掛け外せば良いが、身長不足の場合は、先端がＹ字状とされる延長棒を手に持って衣類が保持されたハンガーをＹ字の股部に載せて掛け外す。あるいは又、身長不足を補うべく台上に載って掛け外す。
【００２１】
また、衣類を吊さない場合は第２支持アーム１１が室内側に突出して美観を損ねるので第２支持アーム１１を縦壁面９１と略平行にさせるだけでも良いし、さらには、昇降部材６を下降させた後枢動して上部支柱３に保持して第２支持アーム１１を凹部９０に収納しても良い。
【００２２】
以上のように、床面側より温度が高い天井近くに衣類を吊るすので早く乾燥する。さらにまた、物干し装置を床面に設置していないので床面の掃除の際に物干し装置が邪魔になることもない。また、衣類を吊るさない時は第２支持アーム１１を縦壁面と平行にして収納したり、凹部に収納することもできるので室内の美観を損ねない。さらにまた、第２支持アーム１１は高所にあって邪魔にならないので衣類を吊るさないときも取外さなくて良い。
【００２３】
なお、上記変形例として、上記一対の物干し装置１を適宜離間して凹部９０に設置し軸が縦壁面９１と交差する第２支持アーム１１に板状体（格子状や枠内に縦壁面と平行な軸が並列配置されるものも可）を橋架すると凹部９０の上部に着脱自在の棚が形成される。これは部屋を傷付けずに棚を形成できるので賃貸住宅や公団住宅等傷を付けれない部屋の空間を有効に利用できる効果がある。
【００２４】
また、上記実施例では、下部支柱２、上部支柱３、横軸７、支持アーム９、第２支持アーム１１等は伸縮できる構造としてないが、大径パイプの中空部から小径パイプが進退可能とされる公知の伸縮棒固定構造を利用して伸縮できる構造にしても良いことは言うまでもない。伸縮棒とすることにより、若干高価になるが各軸の長さを自在に調節できるので汎用性が高まる効果がある。
【００２５】
また、上記実施例では、昇降部材６を上部支柱３に保持させる構造としてロック部材１２の先端を上部支柱３に押圧させたがこれに限るものではない。すなわち、大径パイプの中空部から小径パイプが進退可能とされる公知の伸縮棒固定構造を利用しても良い。
【実施例２】
【００２６】
図４〜図５は本発明に係わる物干し方法及び物干し装置の第２実施例を示したものである。図４において、１００は部屋の天井近くまで達する窓が形成される凹部、１０１は縦壁面、１０４は下面が開口されるカーテンレール収容箱、１０３はカーテンを示し、物干し装置２１は、窓が設けられた凹部１００の天井面に固着される基体部と基体部先端に取付けられ軸が縦壁面１０１とカーテン１０３との隙間中央部を通る水平軸とされる貫通孔を有す保持具２４と保持具２４に形成される前記貫通孔に進退自在に挿通され縦壁面１０１に添って適宜離間されて水平方向に延出され両端に膨出部が形成される支持アーム２９とで構成される。
【００２７】
詳述すると、基体部は凹部１００の天井面に固着される基部２２と基部２２から垂下される断面Ｌ字状のアーム２３とで構成される。そして、前記アーム２３の先端に支持アーム２９が取付けられた保持具２４が取付けられている。
【００２８】
上記構成の物干し装置２１を用いた物干し方法を説明する。
実施例１と同様に衣類を直接又は上部にフックを有すハンガーを介して支持アーム２９に掛ければ良い。
この際、衣類等は縦壁面１０１に添って吊るされる。
【００２９】
なお、衣類を吊さない場合は支持アーム２９が室内側に突出して美観を損ねるので支持アーム２９をカーテン１０３の可動域内に移動してカーテンレール収容箱１０４の投影面下に収容させると良い。
【００３０】
また、上記変形例として、基部２２にアーム２３を水平方向に回動自在に取付けると共にアーム２３の先端部に保持具２４の中央部を枢着すると支持アーム２９を凹部１００に収容できる。
【００３１】
また、他の変形例として、実施例１に示した基体部と前記保持具２４を連結する構成にすると、凹部に着脱自在の物干し装置を提供できる。
【００３２】
以上から判るように、実施例２も実施例１と同様の効果がある。
【実施例３】
【００３３】
図６は本発明に係わる物干し装置の第３実施例を示したものである。これは実施例１の物干し装置の変形例なので図１と同一部位は同一符号で示し説明を省略する。図６において、物干し装置６１は昇降部材６から延出される水平の横軸７０の先端部が支持アーム９に枢着されている。また、横軸７０より下方の支持アーム９にリンク８０の一側が枢着され他側は上部支柱３に枢着されて横軸７０とリンク８０の成す角度が鋭角となる構成とされている。 
【００３４】
以上の構成による作用を説明する。
図６において、第２支持アーム１１に衣類を吊るすと横軸７０、支持アーム９、第２支持アーム１１は図中において右下がりに弾性変形付勢されるがリンク８０が上部支柱３側端を支点に時計回りに枢動するため支持アーム９はリンク８０との枢着点を支点に反時計回りに枢動する。これにより、横軸７０と支持アーム９の右下がりが補正され第２支持アーム１１の右下がりが少なくなる効果がある。
この効果は、同装置を棚として利用する場合に棚板上の物の滑落を防止するのに大きな効果を示す。
【図面の簡単な説明】
【００３５】
【図１】本発明による物干し装置の第１実施例を示す側面図である。
【図２】第１実施例の物干し装置の利用状体を示す正面図である。
【図３】第１実施例の長さ調整手段の要部拡大断面図である。
【図４】第２実施例の物干し装置の利用状体を示す正面図である。。
【図５】図４のＡ−Ａ断面図である。
【図６】本発明による物干し装置の第３実施例を示す側面図である。
【符号の説明】
【００３６】
１、２１、６１  物干し装置                    ２  下部支柱
３  上部支柱                      ４  長さ調整ハンドル
５  内臓部材                      ６  昇降部材
７、７０  横軸                    ８、１０  曲げ継手
９、２９  支持アーム                  １１  第２支持アーム
１２  ロック部材                  ２２  基部
２３  アーム                      ２４  保持具
９０、１００  凹部                ９１、１０１  縦壁面
９２  カーテンレール      ９３、１０３  カーテン
【図１】
2006116117.tif 000003
【図２】
2006116117.tif 000004
【図３】
2006116117.tif 000005
【図４】
2006116117.tif 000006
【図５】
2006116117.tif 000007
【図６】
2006116117.tif 000008